(57)【要約】【課題】感覚的に知覚される音圧レベルを考慮してオーディオ信号を調整する。【解決手段】感覚的に知覚される音圧レベルは、音の周波数により変化する。そこで、Ｌ信号及びＲ信号をフィルタ１１〜１６により、帯域分割して異なる周波数領域の周波数成分の信号を抽出し、増幅率設定部１８，２１，２４により、各周波数成分の信号の強度の最大値を検出して該各強度に応じた値を設定し、乗算器１７，１９，２０，２２，２３，２５で各周波数成分の信号に増幅率設定部１８，２１，２４で設定された値を乗じて増幅された複数の周波数成分の信号を、加算回路２６，２８で、合成して出力する。【選択図】図１
2008236025.tif 000002
【特許請求の範囲】
【請求項１】
オーディオ信号を濾波し、該オーディオ信号の互いに異なる複数の周波数領域の周波数成分の信号をそれぞれ通す複数のフィルタと、
前記各フィルタから前記周波数成分の信号をそれぞれ入力し、該周波数成分の信号が示す音を増幅した増幅信号をそれぞれ生成する複数の増幅手段と、
前記各フィルタが出力する前記周波数成分の信号の示す音の強度をそれぞれ検出し、その強度に応じて該各フィルタに接続された前記各増幅手段の増幅率をそれぞれ設定する複数の増幅率設定手段と、
前記複数の増幅手段の出力する増幅信号を合成して出力する合成手段と、
を備えることを特徴とするオーディオ装置。
【請求項２】
前記各増幅率設定手段は、前記各フィルタが逐次出力する前記周波数成分の信号の示す音の強度の直近時間の最大値を求め、該最大値に基づいて前記増幅率をそれぞれ設定することを特徴とする請求項１に記載のオーディオ装置。
【請求項３】
前記合成手段は、前記オーディオ信号に前記複数の増幅手段が出力する増幅信号を加算して出力することを特徴とする請求項１または２に記載のオーディオ装置。
【請求項４】
オーディオ信号に対して、該オーディオ信号の互いに異なる複数の周波数領域の周波数成分の信号をそれぞれ抽出するフィルタ処理と、
前記各周波数成分の信号が示す音の強度を検出し、該各強度に応じた増幅率を設定し、該設定した増幅率で前記各周波数成分の信号の示す音をそれぞれ増幅した増幅信号を生成する増幅処理と、
前記増幅信号を合成して出力する合成処理と、
を含むことを特徴とするオーディオ信号処理方法。
【請求項５】
前記増幅処理では、前記フィルタ処理で抽出される各周波数成分の信号の示す音の強度の直近時間の最大値を求め、該最大値に基づいて前記増幅率をそれぞれ設定することを特徴とする請求項４に記載のオーディオ信号処理方法。
【請求項６】
前記合成処理では、前記オーディオ信号に前記増幅処理で生成した増幅信号を加算して出力することを特徴とする請求項４または５に記載のオーディオ信号処理方法。
【発明の詳細な説明】
【技術分野】
【０００１】
本発明は、オーディオ装置及びオーディオ信号処理方法に関する。
【背景技術】
【０００２】
従来のラウドネス制御を行うオーディオ装置には、例えば音楽のジャンルを指定することにより、オーディオ信号の全帯域の音量から一意的に低域の増幅率と高域の増幅率を設定し、その増幅率でオーディオ信号の波形を調整して出力するものがあった。
一方、音楽のジャンルを指定しなくても、オーディオ信号の波形を自動的に調整する機能を持つオーディオ装置には、下記特許文献１に記載されるものがあった。
【特許文献１】特開平６−１７７６８８号公報（図１、図２９，図３０）
【０００３】
特許文献１の図２９に示されたオーディオ装置は、入力されたオーディオ信号を対象としてレベル検出を行い、そのレベル検出結果に応じて設定した増幅率でオーディオ信号を増幅して波形圧縮し、出力する。
【０００４】
特許文献１の図３０に示されたオーディオ装置は、出力信号のレベルに基づいた増幅率を求め、入力されたオーディオ信号をその増幅率で増幅して波形圧縮し、波形圧縮した信号から低周波成分を抽出し、その低周波成分とオーディオ信号の高周波成分とを合成して出力信号にしている。
【０００５】
特許文献１の図２９に示されたオーディオ装置及び同文献の図３０に示されたオーディオ装置は、入力されたオーディオ信号と出力信号との違いはあるが、いずれも全帯域の信号のレベルを検出してそれに対応して波形圧縮を行う。そのため、低周波成分の振幅が大きいハードロック系の音楽で、波形圧縮の必要のない高周波成分に基づいて波形圧縮を行うことがある。よって、音質劣化や必要以上に音が弱くなることがあった。
【０００６】
そこで、特許文献１の図１に示されたオーディオ装置は、入力されたオーディオ信号を高周波成分と低周波成分とに分け、低周波成分の波高に基づいた増幅率で低周波成分の波形を圧縮し、圧縮した低周波成分を高周波成分に混合している。
【発明の開示】
【発明が解決しようとする課題】
【０００７】
図５は、従来のオーディオ装置の課題を説明するための等ラウドネス曲線を示す図である。
等ラウドネス曲線は、国際規格ISO226に公表されており、様々な周波数の音が、１ＫＨｚの純音のレベルと感覚的に同じ大きさ（ラウドネス）に聞こえる音圧レベル(等ラウドネスレベル)を結んで作られる周波数特性であり、聴覚における最も基礎的な特性の一つである。
【０００８】
等ラウドネス曲線によれば、音の周波数に応じて知覚される音圧のレベルが異なり、１ＫＨｚの純音のレベルと同じ音圧レベルとなる音も、純音のレベルによって異なる。また、どの音圧でも３〜５ＫＨｚでは非常に感度がよいが、音圧レベルが小さくなると、知覚される感度が高音に比べて低音が極端に悪くなる。
【０００９】
このように、音の音圧レベルに対して感覚的に知覚される音圧レベルは複雑に変化する。これに対し、従来のオーディオ装置には、感覚的に知覚される音のレベルを考慮したものがなく、一意的に低域の増幅率と高域の増幅率を設定するオーディオ装置、特許文献１の図２９，３０のように、オーディオ信号或は出力信号の全帯域の音量から増幅率を設定するオーディオ装置では、音の周波数に応じたきめ細かな設定ができなかった。
【００１０】
また、特許文献１の図１のオーディオ装置は、低音領域の音の劣化を防止することを目的としたもので、低音の音のレベルのみを検出して低音域の増幅率を設定するのみであり、全体の音域での調整は行うことができなかった。
このように、従来のオーディオ装置では、感覚的に知覚される音圧レベルを考慮してきめ細かにオーディオ信号の増幅を行うことができず、技術的に満足できるものがなかった。
【００１１】
本発明は、このような現状に鑑みてなされた発明であり、感覚的に知覚される音圧レベルを考慮してオーディオ信号の調整を行うことが可能で、聴きやすく、かつ迫力のある再生を可能とするオーディオ装置及びオーディオ信号処理方法を提供することを目的とする。
【課題を解決するための手段】
【００１２】
上記目的を達成するために、本発明の第１の観点に係るオーディオ装置は、
オーディオ信号を濾波し、該オーディオ信号の互いに異なる複数の周波数領域の周波数成分の信号をそれぞれ通す複数のフィルタと、
前記各フィルタから前記周波数成分の信号をそれぞれ入力し、該周波数成分の信号が示す音を増幅した増幅信号をそれぞれ生成する複数の増幅手段と、
前記各フィルタが出力する前記周波数成分の信号の示す音の強度をそれぞれ検出し、その強度に応じて該各フィルタに接続された前記各増幅手段の増幅率をそれぞれ設定する複数の増幅率設定手段と、
前記複数の増幅手段の出力する増幅信号を合成して出力する合成手段と、
を備えることを特徴とする。
【００１３】
なお、前記各増幅率設定手段は、前記各フィルタが逐次出力する前記周波数成分の信号の示す音の強度の直近時間の最大値を求め、該最大値に基づいて前記増幅率をそれぞれ設定してもよい。
また、前記合成手段は、前記オーディオ信号に前記複数の増幅手段が出力する増幅信号を加算して出力してもよい。
【００１４】
上記目的を達成するために、本発明の第２の観点に係るオーディオ信号処理方法は、
オーディオ信号に対して、該オーディオ信号の互いに異なる複数の周波数領域の周波数成分の信号をそれぞれ抽出するフィルタ処理と、
前記各周波数成分の信号が示す音の強度を検出し、該各強度に応じた増幅率を設定し、該設定した増幅率で前記各周波数成分の信号の示す音をそれぞれ増幅した増幅信号を生成する増幅処理と、
前記増幅信号を合成して出力する合成処理と、
を含むことを特徴とする。
【００１５】
なお、前記増幅処理では、前記フィルタ処理で抽出される各周波数成分の信号の示す音の強度の直近時間の最大値を求め、該最大値に基づいて前記増幅率をそれぞれ設定してもよい。
【００１６】
また、前記合成処理では、前記オーディオ信号に前記増幅処理で生成した増幅信号を加算して出力してもよい。
【発明の効果】
【００１７】
本発明によれば、感覚的に知覚される音圧レベルを考慮してオーディオ信号の調整を行うことが可能であり、聴きやすく、かつ迫力のある再生を可能とする。
【発明を実施するための最良の形態】
【００１８】
以下、図面に基づき、本発明の実施の形態について詳細に説明する。
［第１の実施形態］
図１は、本発明の第１の実施形態に係るオーディオ装置を示す構成図である。
【００１９】
このオーディオ装置は、入力された音を示すオーディオ信号である左信号（以下、Ｌ信号という）及び右信号（以下、Ｒ信号という）に対し、ラウドネス制御を行う装置であり、２個のローパスフィルタ１１，１２と、２個のバンドパスフィルタ１３，１４と、２個のハイパスフィルタ１５，１６とを備えている。
【００２０】
ローパスフィルタ１１は、Ｌ信号が入力される入力端子ＩＮ１に接続され、デジタル信号処理による濾波で、Ｌ信号の低周波数領域の周波数成分の信号を通過させる。
ローパスフィルタ１２は、Ｒ信号が入力される入力端子ＩＮ２に接続され、デジタル信号処理による濾波で、Ｒ信号の低周波数領域の周波数成分の信号を通過させる。
【００２１】
バンドパスフィルタ１３は、入力端子ＩＮ１に接続され、デジタル信号処理による濾波で、Ｌ信号の低周波数領域よりも高い中間周波数領域の周波数成分の信号を通過させる。
バンドパスフィルタ１４は、入力端子ＩＮ２に接続され、デジタル信号処理による濾波で、Ｒ信号の低周波数領域よりも高い中間周波数領域の周波数成分の信号を通過させる。
【００２２】
ハイパスフィルタ１５は、入力端子ＩＮ１に接続され、デジタル信号処理による濾波で、Ｌ信号の中間周波数領域よりも高い周波数成分の信号を通過させる。
ハイパスフィルタ１６は、入力端子ＩＮ２に接続され、デジタル信号処理による濾波で、Ｒ信号の中間周波数領域よりも高い周波数成分の信号を通過させる。
【００２３】
ローパスフィルタ１１の出力端子は、乗算器１７に接続されると共に、増幅率設定部１８に接続されている。ローパスフィルタ１２の出力端子は、乗算器１９に接続されると共に、増幅率設定部１８に接続されている。増幅率設定部１８は、乗算器１７，１９で各ローパスフィルタ１１，１２の出力信号に乗算する値を設定する手段である。
【００２４】
バンドパスフィルタ１３の出力端子は、乗算器２０に接続されると共に、増幅率設定部２１に接続されている。バンドパスフィルタ１４の出力端子は、乗算器２２に接続されると共に、増幅率設定部２１に接続されている。増幅率設定部２１は、乗算器２０，２２で各バンドパスフィルタ１３，１４の出力信号に乗算する値を設定する手段である。
【００２５】
ハイパスフィルタ１５の出力端子は、乗算器２３に接続されると共に、増幅率設定部２４に接続されている。ハイパスフィルタ１６の出力端子は、乗算器２５に接続されると共に、増幅率設定部２４に接続されている。増幅率設定部２４は、乗算器２３，２５で各ハイパスフィルタ１５，１６の出力信号に乗算する値を設定する手段である。
【００２６】
図２（ａ）〜（ｃ）は、増幅率設定部１８，２１，２４の構成例を示す図である。
増幅率設定部１８は、図２（ａ）のように、ローパスフィルタ１１及びローパスフィルタ１２から逐次与えられる低周波数領域の周波数成分の信号を入力するピークホールド回路１８ａと、ピークホールド回路１８ａに接続されたゲイン設定回路１８ｂとを備えている。
【００２７】
ピークホールド回路１８ａは、ローパスフィルタ１１から与えられる周波数成分の信号の値とローパスフィルタ１２から与えられる周波数成分の信号をサンプリングし、２つのローパスフィルタ１１，１２から与えられた周波数成分の信号の値のうち大きい方を最大値の候補として選択し、該選択した値とそれまでにホールドされている過去の最大値とを比較する。最大値の候補として選択した値が、過去の最大値より大きければ、選択した値を新たな最大値として所定量減衰させてホールドする。最大値の候補として選択した値が、過去の最大値以下であれば、過去の最大値を新たな最大値とし、所定量減衰させてホールドする。なお、最大値をホールドする場合に、所定量減衰させることにより、古い最大値が徐々に小さくなり、直近時間の最大値が新たな最大値に切り替わりやすくなる。
即ち、ピークホールド回路１８ａは、ローパスフィルタ１１，１２から与えられた周波数成分の信号の示す音の直近の最大値を検出する。ゲイン設定回路１８ｂは、ピークホールド回路１８ａでホールドしている最大値を入力し、その最大値に対応する値を設定し、乗算器１７，１９に与える。ここで、ゲイン設定回路１８ｂが乗算器１７，１９に与える値は、ローパスフィルタ１１，１２から乗算器１７，１９に与える低周波数帯域の周波数成分の信号を前述の等ラウドネス曲線に基づいて聴きやすくする値である。
【００２８】
増幅率設定部２１は、図２（ｂ）のように、増幅率設定部１８のピークホールド回路１８ａ及びゲイン設定回路１８ｂと同様の、ピークホールド回路２１ａ及びゲイン設定回路２１ｂを備えている。バンドパスフィルタ１３，１４のそれぞれ出力する中間周波数帯域の周波数成分の信号がピークホールド回路２１ａに入力される。
【００２９】
ピークホールド回路２１ａは、バンドパスフィルタ１３，１４から与えられる周波数成分の信号の値をサンプリングし、２つのバンドパスフィルタ１３，１４から与えられた周波数成分の信号の値のうち大きい方を最大値の候補として選択し、該選択した値とそれまでにホールドされている過去の最大値とを比較する。最大値の候補として選択した値が、過去の最大値より大きければ、選択した値を新たな最大値として所定量減衰させてホールドする。最大値の候補として選択した値が、過去の最大値以下であれば、過去の最大値を新たな最大値とし、所定量減衰させてホールドする。
ピークホールド回路２１ａは、バンドパスフィルタ１３，１４から与えられた中間周波数帯域の周波数成分の信号が示す音の直近の最大値を検出する。ゲイン設定回路２１ｂは、ピークホールド回路２１ａでホールドしている最大値を入力し、その最大値に対応する値を設定し、乗算器２０，２２に与える。ここで、ゲイン設定回路２１ｂが乗算器２０，２２に与える値は、バンドパスフィルタ１３，１４から乗算器２０，２２に与える中間周波数帯域の周波数成分の信号を前述の等ラウドネス曲線に基づいて聴きやすくする値である。
【００３０】
増幅率設定部２４は、図２（ｃ）のように、増幅率設定部１８のピークホールド回路１８ａ及びゲイン設定回路１８ｂと同様のピークホールド回路２４ａ及びゲイン設定回路２４ｂを備えている。ハイパスフィルタ１５，１６のそれぞれ出力する高周波数帯域の周波数成分の信号がピークホールド回路２４ａに入力される。
【００３１】
ピークホールド回路２４ａは、ハイパスフィルタ１５，１６から与えられる周波数成分の信号の値をサンプリングし、２つのハイパスフィルタ１５，１６から与えられた周波数成分の信号の値のうち大きい方を最大値の候補として選択し、該選択した値とそれまでにホールドされている過去の最大値とを比較する。最大値の候補として選択した値が、過去の最大値より大きければ、選択した値を新たな最大値として所定量減衰させてホールドする。最大値の候補として選択した値が、過去の最大値以下であれば、過去の最大値を新たな最大値とし、所定量減衰させてホールドする。
ピークホールド回路２４ａは、ハイパスフィルタ１５，１６から与えられた高周波数帯域の周波数成分の信号の示す音の直近の最大値を検出する。ゲイン設定回路２４ｂは、ピークホールド回路２４ａでホールドしている最大値を入力し、その最大値に対応する値を設定し、乗算器２３，２５に与える。ここで、ゲイン設定回路２４ｂが乗算器２３，２５に与える値は、ハイパスフィルタ１５，１６から乗算器２３，２５に与える高周波数帯域の周波数成分の信号を前述の等ラウドネス曲線に基づいて聴きやすくする値である。
【００３２】
乗算器１７、乗算器２０及び乗算器２３の出力端子は、合成手段である加算回路２６に接続されている。また、入力端子ＩＮ１も、増幅器２７を介して加算回路２６に接続されている。
【００３３】
乗算器１９、乗算器２２及び乗算器２５の出力端子は、合成手段である加算回路２８に接続されている。また、入力端子ＩＮ２も、増幅器２９を介して加算回路２８に接続されている。
【００３４】
次に、図１及び図２に示したオーディオ装置の動作を説明する。
オーディオ信号として入力端子ＩＮ１に入力されたＬ信号に対し、ローパスフィルタ１１、バンドパスフィルタ１３及びハイパスフィルタ１５は、帯域分割を行い、Ｌ信号の低周波数領域の周波数成分の信号が、ローパスフィルタ１１から出力され、中間周波数領域の周波数成分の信号が、バンドパスフィルタ１３から出力され、高周波数領域の周波数成分の信号がハイパスフィルタ１５から出力される。
【００３５】
オーディオ信号として入力端子ＩＮ２に入力されたＲ信号に対し、ローパスフィルタ１２、バンドパスフィルタ１４及びハイパスフィルタ１６は、帯域分割を行い、Ｒ信号の低周波数領域の周波数成分の信号が、ローパスフィルタ１２から出力され、中間周波数領域の周波数成分の信号が、バンドパスフィルタ１４から出力され、高周波数領域の周波数成分の信号がハイパスフィルタ１６から出力される。
【００３６】
増幅率設定部１８は、ローパスフィルタ１１，１２から与えられる低周波数領域の周波数成分の信号が示す音の最大値を逐次検出し、その最大値に対応する値を設定し、乗算器１７，１９に与える。乗算器１７，１９は、低周波数領域の周波数成分の信号の値に増幅率設定部１８で設定した値を乗じて増幅し、加算回路２６，２８にそれぞれ与える。
【００３７】
増幅率設定部２１は、バンドパスフィルタ１３，１４から与えられる中間周波数領域の周波数成分の信号が示す音の最大値を逐次検出し、その最大値に対応する値を設定し、乗算器２０，２２に与える。乗算器２０，２２は、中間周波数領域の周波数成分の信号の値に増幅率設定部２１で設定された値を乗じて増幅し、加算回路２６，２８にそれぞれ与える。
【００３８】
増幅率設定部２４は、ハイパスフィルタ１５，１６から与えられる高周波数領域の周波数成分の信号が示す音の最大値を逐次検出し、その最大値に対応する値を設定し、乗算器２３，２５に与える。乗算器２３，２５は、高周波数領域の周波数成分の信号の値に増幅率設定部２４で設定された値を乗じて増幅し、加算回路２６，２８にそれぞれ与える。
【００３９】
加算回路２６は、Ｌ信号と、各乗算器１７，２０，２３で増幅された各周波数成分の信号の値を加算し、出力端子ＯＵＴ１から出力する。加算回路２８は、Ｒ信号と、各乗算器１９，２２，２５で増幅された各周波数成分の信号の値を加算し、出力端子ＯＵＴ２から出力する。
【００４０】
以上の構成の本実施形態のオーディオ装置は、次のような利点を有する。
（１）  オーディオ信号となるＬ信号及びＲ信号を帯域分割し、各帯域の周波数成分の信号が示す音の強度に基づき各周波数成分の信号を増幅するための増幅率を設定できる。このため、音の高低に応じ、きめ細かく、感覚的に知覚される音圧レベルに応じた調整が可能になる。
【００４１】
（２）  増幅率設定部１８，２１，２４では、各周波数成分の信号が示す音の最大値に基づいての各乗算器１７，１９，２０，２２，２３，２５の増幅率を設定するので、Ｌ信号及びＲ信号の示す音の大きさを反映させることができ、再生時の迫力を損ねない。
【００４２】
（３）  増幅率設定部１８，２１，２４では、直近時間の各周波数成分の信号が示す音の最大値を逐次求め、それに応じて、各乗算器１７，１９，２０，２２，２３，２５の増幅率を設定するので、増幅率をダイナミックに変化させることが可能である。
［第２の実施形態］
図３は、本発明の第２の実施形態に係るオーディオ装置を示す構成図である。
【００４３】
前述の第１の実施形態は、Ｌ信号及びＲ信号がデジタル信号であり、出力端子ＯＵＴ１，ＯＵＴ２から出力する出力信号もデジタル信号の場合を説明したが、Ｌ信号及びＲ信号がアナログ信号であり、出力端子ＯＵＴ１，ＯＵＴ２から出力する出力信号もアナログ信号の場合にも、本発明は適用できる。
図３のオーディオ装置では、入力されるＬ信号、Ｒ信号と出力端子ＯＵＴ１，ＯＵＴ２から出力する出力信号とがアナログ信号である。
このオーディオ装置は、第１の実施形態のローパスフィルタ１１，１２に対応する２個のローパスフィルタ３１，３２と、バンドパスフィルタ１３，１４に対応する２個のバンドパスフィルタ３３，３４と、ハイパスフィルタ１５，１６に対応する２個のハイパスフィルタ３５，３６とを備えている。
【００４４】
ローパスフィルタ３１は、Ｌ信号が入力される入力端子ＩＮ１に接続され、濾波により、Ｌ信号の低周波数領域の周波数成分の信号を通過させる。
ローパスフィルタ３２は、Ｒ信号が入力される入力端子ＩＮ２に接続され、濾波により、Ｒ信号の低周波領数域の周波数成分の信号を通過させる。
【００４５】
バンドパスフィルタ３３は、入力端子ＩＮ１に接続され、濾波により、Ｌ信号の低周波数領域よりも高い中間周波数領域の周波数成分の信号を通過させる。
バンドパスフィルタ３４は、入力端子ＩＮ２に接続され、濾波により、Ｒ信号の低周波数領域よりも高い中間周波数領域の周波数成分の信号を通過させる。
【００４６】
ハイパスフィルタ３５は、入力端子ＩＮ１に接続され、濾波により、Ｌ信号の中間周波数領域よりも高い周波数成分の信号を通過させる。
ハイパスフィルタ３６は、入力端子ＩＮ２に接続され、濾波により、Ｒ信号の中間周波数領域よりも高い周波数成分の信号を通過させる。
【００４７】
ローパスフィルタ３１の出力端子は、増幅器３７に接続されると共に、増幅率設定部３８に接続されている。ローパスフィルタ３２の出力端子は、増幅器３９に接続されると共に、増幅率設定部３８に接続されている。増幅率設定部３８は、増幅器３７，３９で各ローパスフィルタ３１，３２の出力信号を増幅する際の増幅率を設定する手段である。
【００４８】
バンドパスフィルタ３３の出力端子は、増幅器４０に接続されると共に、増幅率設定部４１に接続されている。バンドパスフィルタ３４の出力端子は、増幅器４２に接続されると共に、増幅率設定部４１に接続されている。増幅率設定部４１は、増幅器４０，４２で各バンドパスフィルタ３３，３４の出力信号を増幅する際の増幅率を設定する手段である。
【００４９】
ハイパスフィルタ３５の出力端子は、増幅器４３に接続されると共に、増幅率設定部４４に接続されている。ハイパスフィルタ３６の出力端子は、増幅器４５に接続されると共に、増幅率設定部４４に接続されている。増幅率設定部４４は、増幅器４３，４５で各ハイパスフィルタ３５，３６の出力信号を増幅する際の増幅率を設定する手段である。
【００５０】
図４（ａ）〜（ｃ）は、増幅率設定部３８，４１，４４の構成例を示す図である。
増幅率設定部３８，４１，４４は、第１の実施形態の増幅率設定部１８，２１，２４に対応するものである。
増幅率設定部３８は、ローパスフィルタ３１及びローパスフィルタ３２から逐次与えられる低周波数領域の周波数成分の信号を入力するピークホールド回路３８ａと、ピークホールド回路３８ａに接続されたゲイン設定回路３８ｂとを備えている。
【００５１】
ピークホールド回路３８ａは、ローパスフィルタ３１から与えられる周波数成分の信号の値とローパスフィルタ３２から与えられる周波数成分の信号の値のうち大きい方を最大値の候補として選択し、該選択した値とそれまでにホールドされている過去の最大値とを比較する。最大値の候補として選択した値が、過去の最大値より大きければ、選択した値を新たな最大値として所定量減衰させてホールドする。最大値の候補として選択した値が、過去の最大値以下であれば、過去の最大値を新たな最大値とし、所定量減衰させてホールドする。
ゲイン設定回路３８ｂは、ピークホールド回路３８ａでホールドしている最大値を入力し、その最大値に対応する電圧値を、増幅器３７，３９に与える。ここで、ゲイン設定回路３８ｂが増幅器３７，３９に与える電圧値は、ローパスフィルタ３１，３２から増幅器３７，３９に与える低周波数帯域の周波数成分の信号を前述の等ラウドネス曲線に基づいて聴きやすくするための値である。
【００５２】
増幅率設定部４１は、ピークホールド回路４１ａ及びゲイン設定回路４１ｂを備えている。バンドパスフィルタ３３，３４のそれぞれ出力する中間周波数帯域の周波数成分の信号がピークホールド回路４１ａに入力される。
【００５３】
ピークホールド回路４１ａは、バンドパスフィルタ３３，３４から与えられる周波数成分の信号の値のうち大きい方を最大値の候補として選択し、該選択した値とそれまでにホールドされている過去の最大値とを比較する。最大値の候補として選択した値が、過去の最大値より大きければ、選択した値を新たな最大値として所定量減衰させてホールドする。最大値の候補として選択した値が、過去の最大値以下であれば、過去の最大値を新たな最大値とし、所定量減衰させてホールドする。
ゲイン設定回路４１ｂは、ピークホールド回路４１ａでホールドしている最大値を入力し、その最大値に対応する電圧値を設定し、増幅器４０，４２に与える。ゲイン設定回路４１ｂが増幅器４０，４２に与える値は、バンドパスフィルタ３３，３４から増幅器４０，４２に与える中間周波数帯域の周波数成分の信号を前述の等ラウドネス曲線に基づいて聴きやすくするための値である。
【００５４】
増幅率設定部４４は、ピークホールド回路４４ａ及びゲイン設定回路４４ｂを備えている。ハイパスフィルタ３５，３６のそれぞれ出力する高周波数帯域の周波数成分の信号がピークホールド回路４４ａに入力される。
【００５５】
ピークホールド回路４４ａは、ハイパスフィルタ３５，３６から与えられる周波数成分の信号の値のうち大きい方を最大値の候補として選択し、該選択した値とそれまでにホールドされている過去の最大値とを比較する。最大値の候補として選択した値が、過去の最大値より大きければ、選択した値を新たな最大値として所定量減衰させてホールドする。最大値の候補として選択した値が、過去の最大値以下であれば、過去の最大値を新たな最大値とし、所定量減衰させてホールドする。
ゲイン設定回路４４ｂは、ピークホールド回路４４ａでホールドしている最大値を入力し、その最大値に対応する値を設定し、増幅器４３，４５に与える。ゲイン設定回路４４ｂが増幅器４３，４５に与える値は、ハイパスフィルタ３５，３６から増幅器４３，４５に与える高周波数帯域の周波数成分の信号を前述の等ラウドネス曲線に基づいて聴きやすくするための値である。
【００５６】
増幅器３７、増幅器４０及び増幅器４３の出力端子は、合成手段である加算回路４６に接続されている。また、入力端子ＩＮ１も、増幅器４７を介して加算回路４６に接続されている。
【００５７】
増幅器３９、増幅器４２及び増幅器４５の出力端子は、合成手段である加算回路４８に接続されている。また、入力端子ＩＮ２も、増幅器４９を介して加算回路４８に接続されている。
【００５８】
次に、図３及び図４に示したオーディオ装置の動作を説明する。
入力端子ＩＮ１に入力されたＬ信号に対し、ローパスフィルタ３１、バンドパスフィルタ３３及びハイパスフィルタ３５は、帯域分割を行い、Ｌ信号の低周波数領域の周波数成分の信号が、ローパスフィルタ３１から出力され、中間周波数領域の周波数成分の信号が、バンドパスフィルタ３３から出力され、高周波数領域の周波数成分の信号がハイパスフィルタ３５から出力される。
【００５９】
入力端子ＩＮ２に入力されたＲ信号に対し、ローパスフィルタ３２、バンドパスフィルタ３４及びハイパスフィルタ３６は、帯域分割を行い、Ｒ信号の低周波数領域の周波数成分の信号が、ローパスフィルタ３２から出力され、中間周波数領域の周波数成分の信号が、バンドパスフィルタ３４から出力され、高周波数領域の周波数成分の信号がハイパスフィルタ３６から出力される。
【００６０】
増幅率設定部３８は、ローパスフィルタ３１，３２から与えられる低周波数領域の周波数成分の信号が示す音の最大値を逐次検出し、その最大値に対応する電圧値を設定し、増幅器３７，３９に与える。増幅器３７，３９は、増幅率設定部３８で設定した電圧値に基づいた増幅率で、低周波数領域の周波数成分の信号を増幅し、加算回路４６，４８にそれぞれ与える。
【００６１】
増幅率設定部４１は、バンドパスフィルタ３３，３４から与えられる中間周波数領域の周波数成分の信号が示す音の最大値を逐次検出し、その最大値に対応する電圧値を設定し、増幅器４０，４２に与える。増幅器４０，４２は、増幅率設定部４１で設定された電圧値に基づく増幅率で、中間周波数領域の周波数成分の信号を増幅し、加算回路４６，４８にそれぞれ与える。
【００６２】
増幅率設定部４４は、ハイパスフィルタ３５，３６から与えられる高周波数領域の周波数成分の信号が示す音の最大値を逐次検出し、その最大値に対応する電圧値を設定し、増幅器４３，４５に与える。増幅器４３，４５は、増幅率設定部４４で設定された電圧値に基づく増幅率で高周波数領域の周波数成分の信号を増幅し、加算回路４６，４８にそれぞれ与える。
【００６３】
加算回路４６は、Ｌ信号と、各増幅器３７，４０，４３で増幅された各周波数成分の信号の値を加算し、出力端子ＯＵＴ１から出力する。加算回路４８は、Ｒ信号と、各増幅器３９，４２，４５で増幅された各周波数成分の信号の値を加算し、出力端子ＯＵＴ２から出力する。
【００６４】
以上の本実施形態のオーディオ装置は、Ｌ信号及びＲ信号がアナログ信号であり、出力端子ＯＵＴ１，ＯＵＴ２から出力する出力信号もアナログ信号の場合において、第１の実施形態のオーディオ装置と同様の効果を奏する。
【００６５】
なお、本発明は上記実施形態に限定されるものではなく、種々の変形が可能である。
例えば、上記実施形態では、オーディオ信号の周波数を３つの領域に帯域分割したが、バンドパスフィルタ１３，１４或はバンドパスフィルタ３３，３４の数を増やし、Ｌ信号及びＲ信号の帯域分割を上記実施形態よりもさらに細かくしてもよい。
また、上記実施形態では、ステレオシステムを想定してＬ信号及びＲ信号の２種類のオーディオ信号を持つ場合を示したが、オーディオ信号が１種類のモノラルシステムに対応させることも可能である。
【図面の簡単な説明】
【００６６】
【図１】本発明の第１の実施形態に係るオーディオ装置を示す構成図である。
【図２】図１中の増幅率設定部の構成例を示す図である。
【図３】本発明の第２の実施形態に係るオーディオ装置を示す構成図である。
【図４】図３中の増幅率設定部の構成例を示す図である。
【図５】等ラウドネス曲線を示す図である。
【符号の説明】
【００６７】
１１，１２，３１，３２      ローパスフィルタ
１３，１４，３３，３４      バンドパスフィルタ
１５，１６，３５，３６      ハイパスフィルタ
１７，１９，２０，２２，２３，２５      乗算器
１８，２１，２４，３８，４１，４４      増幅率設定部
２６，２８，４６，４８      加算回路
２７，２９，３７，３９，４０，４２，４３，４５，４７，４９      増幅器
【図１】
2008236025.tif 000003
【図２】
2008236025.tif 000004
【図３】
2008236025.tif 000005
【図４】
2008236025.tif 000006
【図５】
2008236025.tif 000007